(57)【要約】【課題】  携帯の際に薬液が流れでることが無く、薬液を人の特定部位である女性の性器や人間の肛門に噴射してその部位を洗浄し、必要に応じて内部に直接注入できる携帯用薬液噴射注入具を提供すること。【解決手段】  先端に形成された噴射ノズル１１、薬液を収容する装填部１０及び当該装填部１０に隣接する空間部を有するシリンダー１と、前記シリンダー１と内部である装填部に充填された薬液を封止するピストン部２と、前記ピストン部２と一体又は別体であり、当該ピストン部２を噴射ノズル１１に向かって押し込むための押し込み棒３と、前記噴射ノズル１１を閉栓する手段４とを具備し、前記閉栓する手段４を取り除いた状態において、押し込み棒３に押し込み力が作用したときにはピストン部２の移動により薬液が噴射ノズル１１から噴出するようにしてある。【選択図面】  図１
2005204798.tif 000002
【特許請求の範囲】
【請求項１】
女性の性器や人の肛門の洗浄や、これらの内部に薬液を噴射注入する器具であって、先端に形成された噴射ノズル、薬液を収容する装填部及び当該装填部に隣接する空間部を有するシリンダーと、前記シリンダーと内部である装填部に充填された薬液を封止するピストン部と、前記ピストン部と一体又は別体であり、当該ピストン部を噴射ノズルに向かって押し込むための押し込み棒と、前記噴射ノズルを閉栓する手段とを具備し、前記閉栓する手段を取り除いた状態において、押し込み棒に押し込み力が作用したときにはピストン部の移動により薬液が噴射ノズルから噴出するようにしてあることを特徴とする携帯用薬液噴射注入具。
【発明の詳細な説明】
【技術分野】
【０００１】
この発明は、薬液注入具に関するもので、特に、その内部の装填部に予め装填した所定の薬液（浣腸剤、解熱剤、潤滑用ローション（ゼリー）、避妊剤、麻酔剤）を人の特定部位である女性の性器や人間の肛門に噴射（ジェット噴射を含む）してその部位を洗浄し、必要に応じて直接注入することができる携帯用薬液噴射注入具に関するものである。
【背景技術】
【０００２】
現代は生活が複雑で、且つ忙しい日々が続く社会になってきている。こうした現代を過ごしていくため、生活人の忙しい日々を解決する器具が多く開発され使用されてきた。
【０００３】
それにもかかわらず、衛生や人の特定部位に関わり、女性の避妊や治療薬の人体内挿入のための簡便な器具の開発はまだ不十分であるといえる。即ち、女性の器具や膣周辺の衛生、避妊薬液の挿入、人の肛門周囲の清潔を保つことは、疾病予防のために非常に大切であるにもかかわらず、女性用避妊薬や肛門に注入する浣腸薬等、所定の薬液注入は直接人の手でなされてきた。このような作業は非常にわずらわしく容易ではない。
【０００４】
よく知られているように、女性の性器や膣、人の肛門は非常に敏感で弱い部分なのでかなりの注意が必要である。特に女性の性器や膣内には、性交のための潤滑剤及び避妊薬、性病の治療や予防のため薬液の注入、肛門内の所定の浣腸薬等の注入にはさらに注意が必要である。
【０００５】
しかしながら、女性の性器や肛門を効果的に洗浄し、その内部に所定の薬液を注入する簡単で安全な器具が未だに開発されていないのが実情である。その理由は、こうした器具が時間と場所に関係なく携帯の容易性が求められるなど、使用に様々な制約があったからである。
【０００６】
ところで、この種の薬液注入器具としては、例えば特許文献１において開示されている。この薬液注入器具は、先端に潤滑液流出口が形成されたプラスチックシリンダーを備えると共に前記シリンダー内に設けた押し込み棒を潤滑液流出口に向かって押し込む形式を採用しており、前記シリンダーの先端に充填した潤滑液を潤滑液流出口から流出させるようにしたものである。よって、これを用いると容易に女性性器に潤滑剤が塗布できる。
【０００７】
しかしながら、上記薬液注入器具は、潤滑液の漏れに対する対策がなされていないので、携帯している際に、潤滑液流出口から薬液が流れ出てしまう可能性が高く携帯に向かないという問題がある。
【特許文献１】特開２００１−１８７１５１号公報
【発明の開示】
【発明が解決しようとする課題】
【０００８】
そこで、この発明では、携帯の際に薬液が流れでることが無く、薬液を人の特定部位である女性の性器や人間の肛門に噴射（ジェット噴射含む）してその部位を洗浄し、必要に応じて内部に直接注入できる携帯用薬液噴射注入具を提供することを課題とする。
【課題を解決するための手段】
【０００９】
（請求項１記載の発明）
この発明の携帯用薬液噴射注入具は、女性の性器や人の肛門の洗浄や、これらの内部に薬液を噴射注入する器具であって、先端に形成された噴射ノズル、薬液を収容する装填部及び当該装填部に隣接する空間部を有するシリンダーと、前記シリンダーと内部である装填部に充填された薬液を封止するピストン部と、前記ピストン部と一体又は別体であり、当該ピストン部を噴射ノズルに向かって押し込むための押し込み棒と、前記噴射ノズルを閉栓する手段とを具備し、前記閉栓する手段を取り除いた状態において、押し込み棒に押し込み力が作用したときにはピストン部の移動により薬液が噴射ノズルから噴出するようにしてある。
【発明の効果】
【００１０】
この発明の携帯用薬液噴射注入具は、携帯の際に薬液が流れでることが無く、薬液を人の特定部位である女性の性器や人間の肛門に噴射（ジェット噴射含む）してその部位を洗浄し、必要に応じて内部に直接注入できる。
【発明を実施するための最良の形態】
【００１１】
以下にこの発明の携帯用薬液噴射注入具を実施するための最良の形態としての実施例について詳細に説明する。
【実施例１】
【００１２】
図１はこの発明の実施例１の携帯用薬液噴射注入具Ａの分解図であり、シリンダー１及びキャップ４（閉栓する手段）を断面した図を示している。
（この携帯用薬液噴射注入具Ａの構成について）
この携帯用薬液噴射注入具Ａは、携帯の際に薬液（主としてジェル状のもの）が流れでることが無く、薬液を人の特定部位である女性の性器や人間の肛門に噴射（ジェット噴射含む）してその部位を洗浄し、必要に応じて内部に直接注入できるようにしたものである。
【００１３】
この携帯用薬液噴射注入具Ａは、図１に示すように、先端に形成された噴射ノズル１１、薬液を収容する装填部１０、及び当該装填部１０に隣接する空間部を有するシリンダー１と、前記シリンダー１と内部である装填部１０に充填された薬液を封止するピストン部２と、前記ピストン部２と一体成形された押し込み棒３と、前記噴射ノズル１１を閉栓するキャップ４とから構成されている。
【００１４】
シリンダー１は、人体に無害である（子供が舐めても害がない）ＡＢＳ樹脂等により構成された筒状のものであり、図１に示す如く、先端形状は、先端面から徐々に拡径し、その後徐々に縮径する形状となっている。ここで、このシリンダー１の先端部分の形状において、先端面の直径は８ｍｍ、先端面から最大径である直径１５ｍｍになる第１エリアＥ１の長は１５ｍｍ、第１エリアＥ１の端部から１２ｍｍまで縮径していく第２エリアＥ２の長さは２０ｍｍ、全長は９０ｍｍ程度に設定してあり、先端面と外周面とが交わる角部はきれいに面取りしてある。
【００１５】
ピストン部２は、図１に示すように、ＡＢＳ樹脂製（ゴム製でもよい）の厚肉円板で形成されていて、その外周面には二本のＯリング２０，２０が間隔を設けて周設されている。このピストン部２は、図１の二点鎖線に示されているように、周設されたＯリング２０，２０により、シリンダー１内を外周気密状態を維持しながら移動できるようになっている。
【００１６】
押し込み棒３は、図１に示すように、上記ピストン部２と軸心を一致させた状態で当該ピストン部２に一体的に成形されて成るＡＢＳ樹脂製のものであり、その直径は、シリンダー１の孔よりも僅かに小径に設定してある。なお、この押し込み棒３を最大に押し込んだときには、これの後端部に位置する円錐台部３０がシリンダー１の後端部に位置するラッパ状部１２内に嵌まり込むと共に、ピストン部２により、装填部１０内の薬液のほぼ全てが噴射ノズル１１から外部に押し出される（噴射される）ようになっている。
【００１７】
キャップ４は、図１に示すように、シリンダー１の第１エリアＥ１部分が密着すべく被さるような形状に設定してあり、シリンダー１への装着状態では、底面から突出する軸部４０が噴射ノズル１１に嵌入されるようになっている。
（この携帯用薬液噴射注入具Ａの優れた効果について）
この携帯用薬液噴射注入具Ａは、その大きさからいってバッグの中に入れて複数本持ち運ぶことが可能である。キャップ４は、シリンダー１の第１エリアＥ１部分が密着すべく被さるような形状に設定してあり、シリンダー１への装着状態では、底面から突出する軸部４０が噴射ノズル１１に嵌入されるようになっているから、持ち運び時において、薬液が不用意に流れ出ることはない。つまり、携帯の際に薬液が流れ出て、バッグ内を汚すようなことがない。
【００１８】
また、この携帯用薬液噴射注入具Ａは、所謂人指し指と中指とでシリンダー１の後端部分を挟んで親指で押し込み棒３を押し込むことにより、薬液を噴射ノズル１１から噴射させることができる。したがって、薬液を人の特定部位である女性の性器や人間の肛門に噴射（ジェット噴射含む）してその部位を洗浄し、必要に応じて内部に直接注入する作業が非常に簡単である。
【００１９】
さらに、この携帯用薬液噴射注入具Ａでは、シリンダー１の先端部分の形状において、先端面の直径は８ｍｍ、先端面から最大径である直径１５ｍｍになる第１エリアＥ１の長は１５ｍｍ、第１エリアＥ１の端部から１２ｍｍまで縮径していく第２エリアＥ２の長さは２０ｍｍ、全長は９０ｍｍ程度に設定してあり、先端面と外周面とが交わる角部はきれいに面取りしてあるので、膣内や肛門内へ痛みを伴わずに挿入でき、膣壁や肛門壁から圧力がかかったとしても不用意に抜けにくいものとなる。
（この携帯用薬液噴射注入具Ａの形状変更の態様について）
上記した形状は、第１エリアＥ１，Ｅ２において、断面円形状としているが、多少偏平状態（楕円状態）とすることができる。
【００２０】
キャップ４としては、噴射ノズル１の開放部を覆う粘着テープや粘着シールのようなものでもよい。
【実施例２】
【００２１】
図２はこの発明の実施例２の携帯用薬液噴射注入具Ａの分解図であり、シリンダー１を断面した図を示している。
【００２２】
この携帯用薬液噴射注入具Ａは、上記実施例１と同じ目的を達成するためのものであり、図２に示すように、薬液をカプセルＣに詰め込んだものを使用していると共に、使用時（薬液噴出作業時）にはカプセルＣをピストン２の先端面に設けた針２１で突き破るようにしたものである。したがって、カプセル２をシリンダー１内に充填することなく携帯用薬液噴射注入具Ａとは別に携帯しておけば、薬液が噴射ノズル１１から流れ出るという事態は起こり得ない。シリンダー１、押し込み棒３は全く実施例１と同じであるので、他の効果をも有していることが明らかである。
【００２３】
なお、上記した針２１を設けることなく、噴射ノズル１１の後端部を尖ったものとし、この部分１１ａによりカプセルＣを突き破るようにしてもよい。
【実施例３】
【００２４】
図３はこの発明の実施例３の携帯用薬液噴射注入具Ａの部分断面図を示している。
【００２５】
この携帯用薬液噴射注入具Ａは、上記実施例１，２と同じ目的を達成するためのものであるが、図３に示すようにピストン２の外周面に周溝２２を形成すると共に、シリンダー１の内周壁に前記周溝２２に嵌まり込む周突起１３を形成し、両者を嵌合させることにより、押し込み棒３に一定以上の押し込み力が作用しない限り、ピストン部２が移動しないようにしてある。したがって、噴射ノズル１を閉栓するものが粘着テープ４’や粘着シールであっても薬液が噴射ノズル１１から流れ出るという事態は起こりにくい。シリンダー１、押し込み棒３は全く実施例１と同じであるので、他の効果をも有していることが明らかである。
【００２６】
なお、ピストン部側に周突起を設け、シリンダー１の内周壁に前記突起が嵌まり込む周溝を設け、両者を嵌合させるようにしてもよい。
【実施例４】
【００２７】
図４はこの発明の実施例４の携帯用薬液噴射注入具Ａの分解図であり、シリンダー１を断面した図を示している。
【００２８】
この携帯用薬液噴射注入具Ａは、上記実施例と同じ目的を達成するためのものであるが、図４に示すようにシリンダー１の先端部に多数の噴射ノズル１１を形成し、これにより、広いエリヤに薬液が同時に噴射ノズル１１から噴出するようにしてある。なお、図示していないが、実施例１と同等のキャップ４をシリンダー１の先端部に被せてある。
【実施例５】
【００２９】
図５はこの発明の実施例５の携帯用薬液噴射注入具Ａの分解図を示している。
【００３０】
この携帯用薬液噴射注入具Ａは、上記実施例と同じ目的を達成するためのものであるが、図５に示すようにシリンダー１を透明又は半透明とすると共にその外周面に等間隔で三本（複数）の目盛り１４を形成したものとし、シリンダー１内に３回分の薬液を充填してある。このものでは、ピストン部２の先端面側の位置を目視することにより一目盛り分（所定量）を３回、ほぼ正確な量だけ使用できる。
【００３１】
なお、押し込み棒３の外周面に等間隔で３本の目盛りを形成し、シリンダー１の後端と前記目盛りを基準として使用すれば、同等の効果を得ることができる。
【実施例６】
【００３２】
図６はこの発明の実施例６の携帯用薬液噴射注入具Ａの分解図であり、シリンダー１等を断面した図を示している。
【００３３】
この携帯用薬液噴射注入具Ａは、上記実施例と同じ目的を達成するためのものであるが、図６に示すように、装填部１０に充填された薬液を直接ピストン部２で押し出すのではなく、押し込み棒３を介したピストン部２の押し込みによって生じる空気圧を利用して薬液を押し出すようにしている。このため、シリンダー１内に中央孔１６ａを有した区画壁１６を設けてあり、ピストン部２の噴射ノズル１側への移動により、中央孔１６ａを介して装填部１０内の薬液に加圧空気力が作用するようにしてある。
【実施例７】
【００３４】
図７はこの発明の実施例７の携帯用薬液噴射注入具Ａの断面図を示している。
【００３５】
この携帯用薬液噴射注入具Ａは、上記実施例と同じ目的を達成するためのものであるが、図７に示すように、押し込み棒３を筒状にして薬液充填通路１５を設け、使用の際にエアーゾル缶Ｋ内の薬液を装填部１０に充填する構成としてある。このため、押し込み棒３の後端面に、噴出ノズルＮが外周気密状態に嵌入される凹み部１７を設けてあり、薬液充填後に前記凹み部１７を閉栓する栓体（図示せず）を具備させてある。
【００３６】
なお、薬液は噴射ノズル１１から充填する構成を採ることもできる。
【実施例８】
【００３７】
図８はこの発明の実施例８の携帯用薬液噴射注入具Ａの断面図であり、シリンダー１を断面した図を示している。
【００３８】
この携帯用薬液噴射注入具Ａは、上記実施例と同じ目的を達成するためのものであるが、これに加えて膣内や肛門内に薬液を注入する作業を容易にすべく、シリンダー１の先端から中程にかけた部分のうちいずれかで折曲している。このため、この実施例８では、上記した実施例６と同様に装填部１０に充填された薬液を直接ピストン部２で押し出すのではなく、押し込み棒３を介したピストン部２の押し込みによって生じる空気圧を利用して薬液を押し出すようにしている。つまり、シリンダー１内に中央孔１６ａを有した区画壁１６を設けて、ピストン部２の噴射ノズル１側への移動により、中央孔１６ａを介して装填部１０内の薬液に加圧空気力が作用するようにしてある。
【００３９】
なお、シリンダー１の折曲角度は、図８に示した角度に限らず適宜決定すればよい。例えば、４５°、９０°等に折曲することができる。
【実施例９】
【００４０】
図９はこの発明の実施例９の携帯用薬液噴射注入具Ａの側面図を示している。
【００４１】
この実施例９は、基本的には図８と同様であり、相違する部分はシリンダー１の先端側部分と後端側部分とが平行となるように当該シリンダー１を円弧状に屈曲している点のみである。
（その他）
上記実施例では、ピストン部２と押し込み棒３とが一体であったが、押し込み棒３によりピストン部２を噴射ノズル１１側に押し込むことができるのであれば、両者を別体で構成してもよい。
【図面の簡単な説明】
【００４２】
【図１】この発明の実施例１の携帯用薬液噴射注入具の分解図であり、シリンダー及びキャップ（閉栓する手段）を断面した図。
【図２】この発明の実施例２の携帯用薬液噴射注入具の分解図であり、シリンダーを断面した図。
【図３】この発明の実施例３の携帯用薬液噴射注入具の部分断面図。
【図４】この発明の実施例４の携帯用薬液噴射注入具の分解図であり、シリンダーを断面した図。
【図５】この発明の実施例５の携帯用薬液噴射注入具の分解図。
【図６】この発明の実施例６の携帯用薬液噴射注入具の分解図であり、シリンダー等を断面した図。
【図７】この発明の実施例７の携帯用薬液噴射注入具の断面図。を断面した図。
【図８】この発明の実施例８の携帯用薬液噴射注入具の断面図。
【図９】この発明の実施例９の携帯用薬液噴射注入具の側面図。
【符号の説明】
【００４３】
Ａ        携帯用薬液噴射注入具
１        シリンダー
２        ピストン部
３        押し込み棒
４        キャップ（閉栓する手段）                                              １０      装填部
１１      噴射ノズル
【図１】
2005204798.tif 000003
【図２】
2005204798.tif 000004
【図３】
2005204798.tif 000005
【図４】
2005204798.tif 000006
【図５】
2005204798.tif 000007
【図６】
2005204798.tif 000008
【図７】
2005204798.tif 000009
【図８】
2005204798.tif 000010
【図９】
2005204798.tif 000011